(57)【要約】【課題】  アナログレコードプレーヤを用いてアナログレコードに記録された第１トラックの先頭部から数秒間のオーディオ信号によるスクラッチ再生の効果音を同様の操作により発生させることができる光ディスク再生装置を提供する。【解決手段】  操作円盤部の回転速度及び方向を検出し回転検出信号を発生する回転検出部と、降順の読み出し順序で記憶部からオーディオデータの先頭部が読み出されると、回転検出信号のカウント数を初期値からインクリメントするカウンタ部と、カウンタ部のカウント数を時間に換算し当該時間を計時する計時部と、カウンタ部が回転検出信号のカウント数をインクリメントしている間及び計時部が時間を計時している間、記憶部からオーディオデータの読み出しを停止する制御をする制御部を備える。【選択図】  図１
2005332440.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、
前記操作円盤部の回転速度及び回転方向を検出して回転検出信号を発生する回転検出部と、前記記憶部からオーディオデータの先頭が読み出されたことを検出する先頭検出部と、前記制御部の制御により前記記憶部から降順の読み出し順序でオーディオデータが読み出され、前記先頭検出部がオーディオデータの先頭を検出すると前記回転検出信号のパルス数を初期値から増加する方向にカウントするカウンタ部と、前記回転検出部が前記回転検出信号の発生を停止するまでに前記カウンタ部がカウントしたカウント数を時間に換算し、かつ、前記回転検出部が前記回転検出信号の発生を停止したときから前記換算した時間を計時する計時部とを備え、
前記制御部は、前記カウンタ部が前記回転検出信号のパルス数を増加する方向にカウントしている間及び前記計時部が換算した時間を計時している間、前記記憶部からオーディオデータの読み出しを停止する制御をすることを特徴とする光ディスク再生装置。
【請求項２】
請求項１記載の光ディスク再生装置において、
前記制御部は、前記計時部が計時している時間が前記換算した時間に達すると、前記記憶部からオーディオデータの先頭部から読み出す制御をすることを特徴とする光ディスク再生装置。
【発明の詳細な説明】
【技術分野】
【０００１】
本発明は、光ディスクから読み出したオーディオデータをメモリに記憶し、メモリに記憶したオーディオデータの読み出し速度及び読み出し順序を変えて再生することができる光ディスク再生装置に関する。
【背景技術】
【０００２】
オーディオ再生装置を操作してオーディオデータを再生するDJ（Disc Jockey）は、オーディオデータを再生している間に、擦れ音のような効果音を発生させるスクラッチ再生と呼ばれる特殊再生を行うことがある。DJは、アナログレコードプレーヤを用いてスクラッチ再生を行う場合、アナログレコードを素早く時計回り方向又は反時計回り方向に回すことにより擦れ音を発生させる。また、このアナログレコードプレーヤを用いて行われるスクラッチ再生と同様の特殊再生を行うことが可能な光ディスク再生装置がある。
【０００３】
この光ディスク再生装置は、ジョグダイヤルとメモリを備え、CD（Compact Disc）等の光ディスクから再生したオーディオデータをメモリに記憶し、ジョグダイヤルが時計回り方向に回転することにより、ジョグダイヤルの回転速度に応じた読み出し速度及び昇順アドレスの読み出し順序でメモリに記憶されたオーディオデータを読み出し、読み出したオーディオデータを再生する。また、ジョグダイヤルが反時計回り方向に回転することにより、ジョグダイヤルの回転速度に応じた読み出し速度及び降順アドレスの読み出し順序でメモリに記憶されたオーディオデータを読み出し、読み出したオーディオデータを再生する。光ディスク再生装置は、ジョグダイヤルの回転が停止しているとき、標準速度及び昇順アドレス（以下、通常再生という。）でメモリからオーディオデータを読み出し、読み出したオーディオデータを再生する。
【０００４】
このため、光ディスク再生装置は、時計回り方向又は反時計回り方向にジョグダイヤルが回転することによりアナログレコードによる擦れ音と同等の効果音を発生する。このように、DJは、CDに記録されたオーディオデータを光ディスク再生装置により再生しているとき、ジョグダイヤルをアナログレコードと同じように回転操作して、アナログレコードと同様のスクラッチ再生等の特殊再生を行うことができる（例えば、特許文献１参照。）。
【０００５】
【特許文献１】特開平２００１−３１２８５７号公報
【発明の開示】
【発明が解決しようとする課題】
【０００６】
アナログレコードには、第１トラック（第１曲）の記録開始位置の前の位置（アナログレコードの最外周部）にレコード針を導くための溝（以下、トレース溝という。）が設けられている。レコードプレーヤは、アナログレコードが１乃至３回転し、レコード針がトレース溝から第１トラックの記録開始位置に到達すると、第１トラックのオーディオ信号の通常再生を開始する。アナログレコードに設けられたトレース溝には、オーディオ信号が記録されていないので、レコードプレーヤは、レコード針がトレース溝内を移動している間、オーディオ信号を出力しない。
【０００７】
DJは、アナログレコードプレーヤを用いてアナログレコードに記録された第１トラックの先頭部から数秒間のオーディオ信号をスクラッチ再生することがある。例えば、DJは、第１トラックの通常再生を開始してからアナログレコードが時計回り方向に1/4回転した後、アナログレコードを反時計回り方向に1/2回転させ、更に、アナログレコードを時計回り方向に1/2回転させる回転操作を繰り返すスクラッチ再生を行うことがある。つまり、このスクラッチ再生の回転操作は、アナログレコードにおいて、第１トラックの記録開始位置を中心として、時計回り方向に1/4回転させた位置から反時計回りに1/4回転させた位置までの回転操作である。図６は、第１トラックのスクラッチ再生の再生音を説明する図である。図６（a）は、アナログレコードプレーヤによるスクラッチ再生の再生音を説明する図である。また、図６（b）は、従来の光ディスク再生装置によるスクラッチ再生の再生音を説明する図である。
【０００８】
図６（a）に示すO-Aの区間は、アナログレコードに記録された第１トラックのオーディオ信号の通常再生を開始してから、アナログレコードが時計回り方向に1/4回転したときに再生される再生音を示す。O-Aの区間において、アナログレコードプレーヤにより第１トラックの先頭部からオーディオ信号が通常再生される。A-Bの区間は、DJが反時計回り方向にアナログレコードを1/4回転させるときに再生される再生音を示す。A-Bの区間において、アナログレコードが反時計回りに1/4回転されると、アナログレコードプレーヤによりO-Aの区間で再生されたオーディオ信号と逆順序で第１トラックのオーディオ信号が再生され、第１トラックの先頭部のオーディオ信号まで再生される。
【０００９】
B-Cの区間は、更にDJが反時計回り方向にアナログレコードを1/4回転させるときに再生される再生音を示す。B-Cの区間において、アナログレコードが反時計回り方向に1/4回転されると、レコード針がトレース溝内を移動するので、アナログレコードプレーヤからオーディオ信号が出力されない（無音の再生音）。C-Dの区間は、DJが反時計回り方向から時計回り方向にアナログレコードを1/4回転させるときに再生される再生音を示す。C-Dの区間において、アナログレコードが時計回りに1/4回転されると、レコード針がB-Cの区間で移動したトレース溝内を移動するので、アナログレコードプレーヤによりオーディオ信号が出力されない。D-Eの区間は、更にDJが時計回り方向にアナログレコードを1/4回転したときに再生される再生音を示す。D-Eの区間において、アナログレコードが時計回りに1/4回転されると、レコード針がトレース溝から第１トラックの記録開始位置に移動し、アナログレコードプレーヤにより第１トラックの先頭部からオーディオ信号が再生される。
【００１０】
図６（a）に示すようなスクラッチ再生を行っているとき、DJがC点でスクラッチ再生を終了し通常再生を開始すると、アナログレコードプレーヤは、C-Dの区間においてＢ-Ｃの区間における無音の再生音を再生し、D点から第１トラックの先頭部のオーディオ信号の通常再生をする。
【００１１】
次に、DJは、ジョグダイヤルを回転操作して、スクラッチ再生等の特殊再生を行うことができる従来の光ディスク再生装置を用いて、光ディスクに記録された第１トラックの先頭部から数秒間のオーディオデータをスクラッチ再生する場合について説明する。図６（b）を用いて、従来の光ディスク再生装置によるスクラッチ再生の再生音を説明する。
【００１２】
図６（b）に示すo-aの区間は、光ディスクに記録された第１トラックのオーディオデータの通常再生を開始してから再生される再生音を示す。o-aの区間において、従来の光ディスク再生装置により光ディスクから読み取った第１トッラクのオーディオデータがメモリに記憶され、メモリから読み出されたオーディオデータが通常再生される。a-bの区間は、DJがジョグダイヤルを反時計回り方向に回転させるときに再生される再生音を示す。a-bの区間において、従来の光ディスク再生装置は、ジョグダイヤルが反時計回りに回転されると、o-a区間で再生されたオーディオデータをメモリから降順アドレスで読み出し、読み出したオーディオデータを再生する。
【００１３】
b-cの区間は、更にDJが反時計回り方向にジョグダイヤルを回転させるときに再生される再生音を示す。降順アドレスでメモリから第１トラックの先頭のオーディオデータが読み出された後も、更にジョグダイヤルが反時計回り方向に回転されると、従来の光ディスク再生装置は、メモリに第１トラックの先頭部に続けて降順アドレスで読み出すオーディオデータが記憶されていないので、b-cの区間の再生音は無音になる。
【００１４】
c-dの区間は、DJが反時計回り方向から時計回り方向にジョグダイヤルを回転させるときに再生される再生音を示す。c-dの区間において、DJがジョグダイヤルを反時計回り方向から時計回り方向に回転させると、従来の光ディスク再生装置は、メモリから昇順アドレスで第１トラックの先頭部からオーディオデータの読み出しを開始し、読み出したオーディオデータを再生する。
【００１５】
図６（b）に示すようなスクラッチ再生を行っているとき、DJがc点でスクラッチ再生を終了すると、従来の光ディスク再生装置では、ジョグダイヤルの回転が停止するので、c-dの区間では、第１トラックの先頭部からオーディオデータの通常再生を開始する。
【００１６】
したがって、従来の光ディスク再生装置は、上述したアナログレコードプレーヤの場合と異なり、c点から無音の再生音とならずに、第１トラックの先頭部からのオーディオデータの再生音となる。このため、従来の光ディスク再生装置は、アナログレコードプレーヤを用いたスクラッチ再生の効果音と同等の効果音を発生させることができないという課題がある。
【００１７】
本発明は、上記の課題を解決するためになされたものであり、アナログレコードプレーヤを用いてアナログレコードに記録された第１トラックの先頭部から数秒間のオーディオ信号によるスクラッチ再生の効果音を同様の操作により発生させることができる光ディスク再生装置を提供することを目的とする。
【課題を解決するための手段】
【００１８】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する操作円盤部と、前記操作円盤部の指示に応じて前記記憶部に記憶されたオーディオデータを読み出す制御をする制御部とを備えた光ディスク再生装置において、前記操作円盤部の回転速度及び回転方向を検出して回転検出信号を発生する回転検出部と、前記記憶部からオーディオデータの先頭が読み出されたことを検出する先頭検出部と、前記制御部の制御により前記記憶部から降順の読み出し順序でオーディオデータが読み出され、前記先頭検出部がオーディオデータの先頭を検出すると前記回転検出信号のパルス数を初期値から増加する方向にカウントするカウンタ部と、前記回転検出部が前記回転検出信号の発生を停止するまでに前記カウンタ部がカウントしたカウント数を時間に換算し、かつ、前記回転検出部が前記回転検出信号の発生を停止したときから前記換算した時間を計時する計時部とを備え、前記制御部は、前記カウンタ部が前記回転検出信号のパルス数を増加する方向にカウントしている間及び前記計時部が換算した時間を計時している間、前記記憶部からオーディオデータの読み出しを停止する制御をすることを特徴とする。
【００１９】
また、本願の請求項２記載の発明は、請求項１記載の光ディスク再生装置において、前記制御部は、前記計時部が計時している時間が前記換算した時間に達すると、前記記憶部からオーディオデータの先頭部から読み出す制御をすることを特徴とする。
【発明の効果】
【００２０】
本発明によれば、アナログレコードプレーヤを用いてアナログレコードに記録された第１トラックの先頭部から数秒間のオーディオ信号によるスクラッチ再生の効果音を同様の操作により発生させることができる光ディスク再生装置を提供することができる。
【発明を実施するための最良の形態】
【００２１】
以下、本発明の実施の形態を図面に基づいて説明する。
本発明の一実施例は、操作部にジョグダイヤルを備え、ジョグダイヤルの回転速度及び回転方向に応じて、CDから再生しRAM（Random Access Memory）に記憶されたデジタルオーディオデータの読み出し速度及び読み出し順序を変えることができるCDプレーヤである。図１は、本発明の一実施例であるCDプレーヤの構成を示すブロック図である。図１において、１はターンテーブル、２はスピンドルモータ、３はサーボ制御部、４は光ピックアップ、５は再生アンプ、６は信号処理部、７はメモリ制御部、８はRAM、９はフレーム検出部、１０は、DAC（Digital to Analog Converter）、１１は出力端子、１２は制御部、１３は表示部、１４は操作部、１５はカウンタ部、１６は先頭検出部、１７は計時部を示す。
【００２２】
スピンドルモータ２に固定されたターンテーブル１は、CDを固定する。操作部１４から再生開始の指示があると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００２３】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出され、メモリ制御部７に備えられたフレーム検出部９に入力される。
【００２４】
フレーム検出部９は、RAM８から入力されるデジタルオーディオデータをフレーム単位で検出し、１フレームを検出する毎にフレーム検出信号を発生し、当該フレーム検出信号を制御部１２に入力する。フレーム検出部９は、メモリ制御部７の制御によりRAM８から昇順アドレスでデジタルオーディオデータが読み出されているとき、第１のフレーム検出信号を発生し、RAM８から降順アドレスでデジタルオーディオデータが読み出されているとき、第２のフレーム検出信号を発生する。CDに記録されたオーディオデータのサンプリング周波数が44.1kHzである場合、１秒間分のデジタルオーディオデータは４４１００サンプルとなり、１フレーム（1/75秒）では、５８８サンプルとなる。フレーム検出部９は、５８８サンプルのデジタルオーディオデータを検出する毎に、第１のフレーム検出信号又は第２のフレーム検出信号を発生する。DAC１０は、フレーム検出部９から入力されたデジタルオーディオデータをアナログオーディオ信号に変換する。DAC９により変換されたアナログオーディオ信号は、出力端子１１から出力される。
【００２５】
表示部１３は、現在再生しているトラックの再生時間、トラックナンバー等を表示する。操作部１４は、ジョグダイヤル、再生ボタン、再生停止ボタン、トラックサーチボタン、早送りボタン、早戻しボタン、イジェクトボタンを備えている。
【００２６】
図２は、本発明の一実施例であるCDプレーヤの操作部１４が備えるジョグダイヤルの側断面を示す図である。図２において、２１は操作円盤部、２２は回転軸、２３はスケール部、２４は軸受け、２５はスリット部、２６は回転検出部、２７はCDプレーヤの筐体部を示す。本実施例のCDプレーヤにおいて、操作円盤部２１は、直径１０cm〜２０cm程度の大きさであり、CDプレーヤの筐体に取り付けられている。
【００２７】
図２において、操作円盤部２１は、中心部に回転軸２２が挿入され、図示しないネジ等により回転軸２２に固定されている。回転軸２２は、軸受け２４に挿入されている。スケール部２３は、中心部に回転軸２２が挿入され、図示しないネジ等により回転軸２２に固定されている。このため、ジョグダイヤル３１及びスケール部３２は、回転軸２３を介して一体的に回転することができる。また、操作円盤部２１の回転状態を目視により確認するために、操作円盤部２１には、回転位置を示す目印が設けられている。
【００２８】
スケール部２３の外周部には、等間隔に長方形状のスリット部２５が設けられている。スケール部２３の材質が金属の場合、このスリット部２５は、長方形状の開口部にする。しかし、開口部の形状は、長方形に限られるものではなく、適宜の形状でよい。また、スケール部２３として材質が透明又は半透明のプラスチックなどが用いられている場合は、スリット部２５を印刷によって形成する。
【００２９】
回転検出部２６は、操作円盤部２１と一体的に回転するスケール部２３の回転状態（回転速度及び回転方向）を検出する。回転検出部２６は、光センサa及び光センサbを備え、スケール部２３に設けられたスリット部２５を検出できるように筐体部２７に固定されている。回転検出部２６は、スリット部２５を検出すると、光センサa及び光センサbから位相の異なる（例えば、９０°の位相差）パルス信号a及びパルス信号bを発生して制御部１２及びカウンタ部１５に出力する。本実施例では、パルス信号a及びパルス信号bを回転検出信号とする。カウンタ部１５は、制御部１２の制御により回転検出部２６の光センサa又は光センサbから入力されるパルス信号a又はパルス信号bのパルス数を１ずつ増加する方向（インクリメント）又は１ずつ減少する方向（デクリメント）にカウントする。
【００３０】
制御部１２は、CDに記録されたデジタルオーディオデータを再生しているとき、回転検出部２６からパルス信号a及びパルス信号bの入力がないとき（操作円盤部２１が回転操作されていないとき）、通常再生と判断する。このとき、制御部１２は、標準速度及び昇順アドレスでRAM８に記憶されたデジタルオーディオデータを読み出すようにメモリ制御部７を制御する。メモリ制御部７は、制御部１２の制御に応じた読み出し速度及び読み出し順序でRAM８に記憶されたデジタルオーディオデータを読み出す制御をする。
【００３１】
一方、制御部１２は、CDに記録されたデジタルオーディオデータを再生しているとき、操作円盤部２１が回転操作され回転検出部２６からパルス信号a及びパルス信号bが入力されると、入力されたパルス信号a及びパルス信号bにより操作円盤部２１の回転速度及び回転方向を判別する。制御部１２は、回転検出部２６から一定時間に入力されるパルス信号a又はパルス信号bのどちらか一方のパルス信号のパルス数から操作円盤部２１の回転速度を判別する。また、制御部１２は、回転検出部２６から入力されるパルス信号a及びパルス信号bの位相差に基づいて、操作円盤部２１の回転方向を判別する。例えば、パルス信号a及びパルス信号bの位相差が９０°である場合、操作円盤部２１が時計回り方向に回転すると、パルス信号aは、パルス信号bに対して、＋９０°の位相差となる。また、操作円盤部２１が反時計回り方向に回転すると、パルス信号aは、パルス信号bに対して、−９０°の位相差となる。制御部１２は、判別した操作円盤部２１の回転速度及び回転方向に対応した読み出し速度及び読み出し順序でRAM８からデジタルオーディオデータを読み出すようにメモリ制御部７を制御する。メモリ制御部７は、制御部１２の制御に応じた読み出し速度及び読み出し順序でRAM８に記憶されたデジタルオーディオデータを読み出す制御をする。
【００３２】
制御部１２は、上述したフレーム検出部９から入力された第１のフレーム検出信号又は第２のフレーム検出信号をカウントすることにより、読出時間を算出する。この読出時間は、RAM８から読み出されるデジタルオーディオデータのトラックの先頭部からの再生経過時間に相当する。制御部１２は、フレーム検出部９から入力される第１のフレーム検出信号を１回カウントする毎にカウント数を１増やし、第２のフレーム検出信号を１回カウントする毎にカウント数を１減らす。例えば、トラックの再生を開始してから、制御部１２がカウントした第１のフレーム検出信号のカウント数が１２００であるとき、１秒間は７５フレームであるため、読出時間は、１６秒００フレーム（１２００／７５）となる。この後、制御部１２が更に第１のフレーム検出信号を連続して１５５回カウントすると、制御部１２のカウント数は１３５５（＝１２００＋１５５）となり、読出時間は、１８秒０５フレーム（１６秒００フレーム＋２秒０５フレーム）となる。また、カウント数が１２００であるとき、制御部１２が第２のフレーム検出信号を連続して２００回カウントすると、制御部１２のカウント数は１０００（＝１２００−２００）となり、読出時間は、１３秒２５フレーム（１６秒００フレーム−２秒５０フレーム）となる。
【００３３】
制御部１２は、先頭検出部１６及び計時部１７を備えている。先頭検出部１６は、制御部１２が算出した読出時間が０分００秒００フレームになったとき、RAM８からデジタルオーディオデータの先頭部が読み出されたことを検出する。計時部１７は、先頭検出部１６がデジタルオーディオデータの先頭部を検出してから、カウンタ部１５がパルス信号a又はパルス信号bのパルス数をカウントしたカウント数を時間に換算し当該時間を計時する。計時部１７は、後述するように、回転検出部２６が発生するパルス信号の１パルスでRAM８から１フレーム分のデジタルオーディオデータを読み出す場合、カウンタ部１５の１カウントを１フレームに換算する。例えば、計時部１７は、カウンタ部１５のカウント数が５００であるとき、５００フレーム（６秒５０フレーム）に換算する。
【００３４】
本実施例のCDプレーヤを用いて、スクラッチ再生を行う場合、DJは、手で操作円盤部２１を素早く時計回り方向又は反時計回り方向に回転させる操作を繰り返す。制御部１２は、回転検出部２６の光センサa及び光センサbから入力されるパルス信号a及びパルス信号bから、操作円盤部２１の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（デジタルオーディオデータを昇順アドレスで読み出す、または、降順アドレスで読み出す）を制御する。RAM８から読み出されたデジタルオーディオデータは、フレーム検出部９を介してDAC１０によりアナログオーディオ信号に変換され出力端子１１から出力される。
【００３５】
図３、図４及び図５は、本発明の実施例のCDプレーヤの第１トラックの先頭部から数秒間のオーディオデータをスクラッチ再生する動作を説明するフローチャートである。本実施例のCDプレーヤでは、操作円盤部２１が１回転するとき、回転検出部２６が１３５パルスのパルス信号を発生し、パルス信号の１パルスでRAM８に記憶された１フレーム分のデジタルオーディオデータを読み出すものとして説明する。
【００３６】
図３のステップ１は、第１トラックのオーディオデータを通常再生しているとき、DJが操作円盤部２１を回転操作し、スクラッチ再生の操作がされたか否かを制御部１２が判別するステップである。スクラッチ再生の操作がされた場合はステップ２へ進む。
【００３７】
ステップ２は、操作円盤部２１が反時計回り方向に回転されたか否かを制御部１２が判別するステップである。制御部１２は、回転検出部２６から入力されるパルス信号から、DJが回転操作した操作円盤部２１の回転方向を判別する。操作円盤部２１が反時計回り方向に回転された場合はステップ３へ進む。操作円盤部２１が時計回り方向に回転された場合はステップ１１へ進む。
【００３８】
ステップ３は、制御部１２が判別した読み出し速度及び降順アドレスでRAM８に記憶された第１トラックのデジタルオーディオデータを読み出す制御をするステップである。メモリ制御部７により制御部１２が判別した読み出し速度及び降順アドレスでRAM８から読み出された第１トラックのデジタルオーディオデータは、フレーム検出部９を介してDAC１０によりアナログオーディオ信号に変換され出力端子１１から出力される。
【００３９】
ステップ４は、RAM８から第１トラックの先頭部のデジタルオーディオデータが読み出されたことを先頭検出部１６が検出するステップである。降順アドレスでRAM８からデジタルオーディオデータを読み出しているので、フレーム検出部９は、第２のフレーム検出信号を発生し制御部１２に入力する。制御部１２は、入力された第２のフレーム検出信号をカウントすることにより、読出時間を算出する。この読出時間は、RAM８から読み出されるデジタルオーディオデータのトラックの先頭からの再生経過時間に相当するので、RAM８から第１トラックの先頭部のデジタルオーディオデータが読み出されたとき、制御部１２が算出した読出時間は、０分００秒００フレームとなる。したがって、先頭検出部１６は、算出した読出時間が０分００秒００フレームになると、RAM８から第１トラックの先頭部のデジタルオーディオデータが読み出されたことを検出する。先頭検出部１６がRAM８から第１トラックの先頭部のデジタルオーディオデータが読み出されたことを検出した場合はステップ５へ進む。先頭検出部１６がRAM８から第１トラックの先頭部のデジタルオーディオデータが読み出されたことを検出しない場合はステップ７へ進む。
【００４０】
ステップ５は、制御部１２がRAM８からデジタルオーディオデータの読み出しを停止する制御をする判別するステップである。先頭検出部１６がRAM８から第１トラックの先頭部のデジタルオーディオデータが読み出されたことを検出すると、制御部１２は、RAM８からデジタルオーディオデータの読み出しを停止する制御をする。このとき、出力端子１１から出力されるアナログオーディオ信号は、第１トラックのアナログオーディオ信号から無音となる。
【００４１】
ステップ６は、制御部１２がカウンタ部１５にパルス信号のパルス数を初期値からインクリメントさせる制御をするステップである。ステップ４において先頭検出部１６がRAM８から第１トラックの先頭部のデジタルオーディオデータが読み出されたことを検出すると、カウンタ部１５は、回転検出部２６からパルス信号のパルスが入力される毎にカウント数を初期値（例えば、ゼロ）からインクリメントする。
【００４２】
ステップ７は、操作円盤部２１が反時計回り方向から時計回り方向に回転されたか否かを制御部１２が判別するステップである。制御部１２は、回転検出部２６から入力されるパルス信号から、DJが回転操作した操作円盤部２１の回転方向を判別する。操作円盤部２１が反時計回り方向から時計回り方向に回転された場合はステップ８へ進む。操作円盤部２１が反時計回り方向に回転されている場合はステップ９へ進む。
【００４３】
ステップ８は、図４に示すステップ１４へ進むステップである。
【００４４】
ステップ９は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。操作円盤部２１が反時計回り方向に回転されているときに、スクラッチ再生が終了した場合はステップ１０へ進む。スクラッチ再生が終了していない場合はステップ４へ進む。
【００４５】
ステップ１０は、図５に示すステップ２４へ進むステップである。
【００４６】
ステップ１１は、ステップ２において操作円盤部２１が時計回り方向に回転されると、制御部１２が判別した読み出し速度及び昇順アドレスでRAM８から第１トラックのデジタルオーディオデータを読み出す制御をするステップである。メモリ制御部７により制御部１２が判別した読み出し速度及び昇順アドレスでRAM８から読み出された第１トラックのデジタルオーディオデータは、フレーム検出部９を介してDAC１０によりアナログオーディオ信号に変換され出力端子１１から出力される。
【００４７】
ステップ１２は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。スクラッチ再生が終了した場合はステップ１３へ進む。スクラッチ再生が終了していない場合はステップ２へ進む。
【００４８】
ステップ１３は、制御部１２が通常再生の制御をするステップである。制御部１２は、ステップ１２においてスクラッチ再生が終了した位置から標準速度及び昇順アドレスでRAM８に記憶された第１トラックのデジタルオーディオデータを読み出す制御をする。
【００４９】
図４に示すステップ１４は、図３に示すステップ８に続くステップである。
ステップ１４は、カウンタ部１５のカウント数が初期値であるか否かを制御部１２が判別するステップである。カウンタ部１５のカウント数が初期値である場合はステップ１５へ進む。カウント数が初期値でない場合はステップ１６へ進む。ここで、本実施例のCDプレーヤにおいて、カウンタ部１５のカウント数が初期値である場合は、降順アドレスでRAM８から第１トラックの先頭部のデジタルオーディオデータが読み出される前に、DJがステップ７で操作円盤部２１を反時計回り方向から時計回り方向に回転させる場合である。また、本実施例のCDプレーヤにおいて、カウンタ部１５のカウント数が初期値でない場合は、降順アドレスでRAM８から第１トラックの先頭部のデジタルオーディオデータが読み出された後に、DJがステップ７で操作円盤部３０を反時計回り方向から時計回り方向に回転させる場合である。
【００５０】
ステップ１５は、図３に示すステップ１１へ進むステップである。
【００５１】
ステップ１６は、制御部１２がカウンタ部１５にパルス信号のパルス数をデクリメントさせる制御をするステップである。DJが操作円盤部２１を時計回り方向に回転させると、カウンタ部１５は、回転検出部２６からパルス信号のパルスが入力する毎にインクリメントしたカウント数からデクリメントする。
【００５２】
ステップ１７は、操作円盤部２１が時計回り方向から反時計回り方向に回転されたか否かを制御部１２が判別するステップである。制御部１２は、回転検出部２６から入力されるパルス信号から、DJが回転操作した操作円盤部２１の回転方向を判別する。操作円盤部２１が時計回り方向から反時計回り方向に回転された場合はステップ１８へ進む。操作円盤部２１が時計回り方向に回転されている場合はステップ１９へ進む。
【００５３】
ステップ１８は、制御部１２がカウンタ部１５にパルス信号のパルス数をインクリメントさせる制御をするステップである。ステップ１７において、DJが操作円盤部２１を反時計回り方向に回転させるとき、昇順アドレスでRAM８から第１トラックの先頭部のデジタルオーディオデータが読み出されてないため、カウンタ部１５は、回転検出部２６からパルス信号のパルスが入力する毎にカウント数をインクリメントする。
【００５４】
ステップ１９は、カウンタ部１５のカウント数が初期値になったか否かを制御部１２が判別するステップである。カウンタ部１５のカウント数が初期値になった場合はステップ２０へ進む。カウント数が初期値にならない場合はステップ１６へ進む。
【００５５】
ステップ２０は、制御部１２が昇順アドレスでRAM８から第１トラックの先頭部のデジタルオーディオデータを読み出す制御をするステップである。制御部１２は、カウンタ部１５のカウント数が初期値になると、昇順アドレスでRAM８から第１トラックのデジタルオーディオデータを先頭部から読み出す制御をする。
【００５６】
ステップ２１は、スクラッチ再生が終了したか否かを制御部１２が判別するステップである。制御部１２は、操作円盤部２１の回転が停止し回転検出部２６からパルス信号の入力が停止すると、DJがスクラッチ再生を終了したことを判別する。スクラッチ再生が終了した場合はステップ２３へ進む。スクラッチ再生が終了していない場合はステップ２２へ進む。
【００５７】
ステップ２２は、図３に示すステップ２へ進むステップである。
【００５８】
ステップ２３は、制御部１２が通常再生の制御をするステップである。制御部１２は、ステップ２１においてスクラッチ再生が終了した位置から標準速度及び昇順アドレスでRAM８に記憶された第１トラックのデジタルオーディオデータを読み出す制御をする。
【００５９】
図３及び図４に示すフローチャートを用いて説明した本実施例のCDプレーヤでは、DJが操作円盤部２１を反時計回り方向に回転させ、降順アドレスでRAM８から第１トラックの先頭部のデジタルオーディオデータが読み出された後、DJが操作円盤部２１を時計回り方向に回転させると、カウンタ部１５がインクリメントしたカウント数をデクリメントし初期値になるまで（つまり、操作円盤部２１が時計回り方向に回転する回転量が反時計回り方向に回転した回転量になるまで）、昇順アドレスでRAM８から第１トラックの先頭部のデジタルオーディオデータの読み出しをしない。このため、本実施例のCDプレーヤは、降順アドレスでRAM８から第１トラックの先頭部のデジタルオーディオデータが読み出されてから（ステップ４）、カウンタ部１５のカウント数が初期値に戻るまで（ステップ１９）の間、出力端子１１から出力されるアナログオーディオ信号は無音となる。
【００６０】
したがって、本実施例のCDプレーヤは、アナログレコードと同様に操作円盤部２１を回転操作することによりアナログレコードプレーヤを用いてアナログレコードに記録された第１トラックの先頭部から数秒間のオーディオ信号をスクラッチ再生の効果音と同等の効果音を発生させることができる。
【００６１】
図５に示すステップ２４は、図３に示すステップ１０に続くステップである。
ステップ２４は、カウンタ部１５のカウント数が初期値であるか否かを制御部１２が判別するステップである。カウンタ部１５のカウント数が初期値である場合はステップ２５へ進む。カウント数が初期値でない場合はステップ２６へ進む。ここで、本実施例のCDプレーヤにおいて、カウンタ部１５のカウント数が初期値である場合は、降順アドレスでRAM８から第１トラックの先頭部のデジタルオーディオデータが読み出される前に、DJがスクラッチ再生を終了した場合である。また、本実施例のCDプレーヤにおいて、カウンタ部１５のカウント数が初期値でない場合は、降順アドレスでRAM８から第１トラックの先頭部のデジタルオーディオデータが読み出された後に、DJが操作円盤部２１を反時計回り方向に回転させるスクラッチ再生を終了した場合である。
【００６２】
ステップ２５は、制御部１２が通常再生の制御をするステップである。
制御部１２は、ステップ９においてスクラッチ再生が終了した位置から標準速度及び昇順アドレスでRAM８に記憶された第１トラックのデジタルオーディオデータを読み出す制御をする。
【００６３】
ステップ２６は、ステップ４において先頭検出部１６が第１トラックのデジタルオーディオデータの先頭部を検出してから、ステップ９におけるスクラッチ再生の終了までの間に、カウンタ部１５によりカウントされたカウント数を計時部１７が時間に換算するステップである。上述したように、計時部１７は、回転検出部２６から発生するパルス信号の１パルスでRAM８から１フレーム分のデジタルオーディオデータを読み出すので、カウンタ部１５の１カウントを１フレームに換算する。
【００６４】
ステップ２７は、計時部１７が時間の計時を開始するステップである。
【００６５】
ステップ２８は、計時部１７が計時した時間が換算した時間に達したか否かを制御部１２が判別するステップである。計時部１７が計時した時間が換算した時間に達した場合はステップ２９に進む。
【００６６】
ステップ２９は、制御部１２が昇順アドレスでRAM８から第１トラックの先頭部のデジタルオーディオデータを読み出す制御をするステップである。制御部１２は、計時部１７が計時した時間が換算した時間に達すると、昇順アドレスでRAM８から第１トラックのデジタルオーディオデータを先頭部から読み出す制御をする。
【００６７】
ステップ３０は、制御部１２が通常再生の制御をするステップである。制御部１２は、標準速度及び昇順アドレスでRAM８から第１トラックのデジタルオーディオデータを先頭部から読み出すようにメモリ制御部７を制御する。メモリ制御部７は、標準速度及び昇順アドレスでRAM８から第１トラックのデジタルオーディオデータを先頭部から読み出す制御をする。
【００６８】
図３及び図５に示すフローチャートを用いて説明した本実施例のCDプレーヤでは、DJが操作円盤部２１を反時計回り方向に回転させ、降順アドレスでRAM８から第１トラックの先頭部のデジタルオーディオデータが読み出された後にスクラッチ再生を終了すると、計時部１７が計時した時間が換算した時間に達するまで、昇順アドレスでRAM８から第１トラックの先頭部のデジタルオーディオデータの読み出しをしない。このため、本実施例のCDプレーヤは、降順アドレスでRAM８から第１トラックの先頭部のデジタルオーディオデータが読み出されてから（ステップ４）、計時部１７が計時した時間が換算した時間に達するまで（ステップ２８）の間、出力端子１１から出力されるアナログオーディオ信号は無音となる。
【００６９】
したがって、本実施例のCDプレーヤは、アナログレコードと同様に操作円盤部２１を回転操作することによりアナログレコードに記録された第１トラックの先頭部から数秒間のオーディオ信号をスクラッチ再生の効果音と同等の効果音を発生させることができる。
【００７０】
本実施例では、CDに記録された第１トラックのオーディオデータのスクラッチ再生について説明をしたが、第１トラックに限らずCDに記録された全トラックのオーディオデータのスクラッチ再生において、本発明を適用することができる。
【図面の簡単な説明】
【００７１】
【図１】本発明の実施例であるCDプレーヤの構成を示すブロック図。
【図２】本発明の実施例であるCDプレーヤが備えるジョグダイヤルの構成を示す図。
【図３】本発明の実施例であるCDプレーヤの第１トラックのスクラッチ再生の動作を説明するフローチャート。
【図４】本発明の実施例であるCDプレーヤの第１トラックのスクラッチ再生の動作を説明するフローチャート。
【図５】本発明の実施例であるCDプレーヤの第１トラックのスクラッチ再生の動作を説明するフローチャート。
【図６】従来の光ディスク再生装置の第１トラックのスクラッチ再生の再生音を説明する図。
【符号の説明】
【００７２】
１…ターンテーブル、２…スピンドルモータ、３…サーボ制御部、４…光ピックアップ、５…再生アンプ、６…信号処理部、７…メモリ制御部、８…RAM、９…フレーム検出部、１０…DAC、１１…出力端子、１２…制御部、１３…表示部、１４…操作部、１５…カウンタ部、１６…先頭検出部、１７…計時部、２１…操作円盤部、２２…回転軸、２３…スケール部、２４…軸受け、２５…スリット部、２６…回転検出部、２７…CDプレーヤの筐体部
【図１】
2005332440.tif 000003
【図２】
2005332440.tif 000004
【図３】
2005332440.tif 000005
【図４】
2005332440.tif 000006
【図５】
2005332440.tif 000007
【図６】
2005332440.tif 000008